(57)【特許請求の範囲】
【請求項１】
後端を有する取っ手部と、前記取っ手部の前記後端とは反対端近傍から一方向へ延びていて先端及び前記一方向へ延びる案内開口を有するボタン保持部とから構成され、前記案内開口が、前記取っ手部の前記反対端近傍の両側縁から前記ボタン保持部の前記先端へ前記一方向と直交する幅方向に互いに離間して延びる第１両側縁部により形成される第１案内開口と、前記第１両側縁部からさらに前記ボタン保持部の前記先端へ前記第１両側縁部の前記幅方向の離間よりも狭く離間して延びる第２両側縁部により形成され前記第１案内開口と連通する第２案内開口とから構成されているボタン掛け具において、
前記取っ手部が、前記ボタン保持部に対して、前記第１両側縁部の一方の側からその他方の側へ湾曲していることを特徴とする前記ボタン掛け具。
【請求項２】
前記取っ手部が前記ボタン保持部の前記後端へ向かうにつれて次第に幅が広くなる請求項１に記載のボタン掛け具。
【請求項３】
前記第１案内開口と前記第２案内開口との間に、これら両案内開口に連通し、前記第１案内開口の幅よりも小さく、前記第２案内開口の幅よりも大きい幅を有する案内開口が少なくとも一つ介在している請求項１または２に記載のボタン掛け具。
【請求項４】
前記取っ手部と前記ボタン保持部とが同一材料から同平面内に延びるように形成され、前記取っ手部が平板状に形成されている請求項１〜３のいずれかに記載のボタン掛け具。
【発明の詳細な説明】
【０００１】
【発明の属する技術分野】
この発明は、ズボン等の衣服に取り付けられたボタンをボタンホールに掛けるための用具に関する。
【０００２】
【従来の技術】
特開２００１−１６１５３９公報には、デニム製ズボン等の衣服に取り付けられたボタンをボタンホールに速やかに掛けるためのボタン掛け具が開示されている。デニムやジーンズ等の厚くて、堅い生地からなるズボンやジャケットの製造現場では、そうした掛け具が不可欠である。
【０００３】
【発明が解決しようとする課題】
前記公知のボタン掛け具は、その長さ方向に直状を成すものであり、この発明は、そのようなボタン掛け具で経験される使い難さの解消を課題にしている。
【０００４】
【課題を解決するための手段】
前記課題解決のために、この発明が対象とするのは、後端を有する取っ手部と、前記取っ手部の前記後端とは反対端近傍から一方向へ延びていて先端及び前記一方向へ延びる案内開口を有するボタン保持部とから構成され、前記案内開口が、前記取っ手部の両側縁から前記ボタン保持部の前記先端へ前記一方向と直交する幅方向に互いに離間して延びる第１両側縁部により形成される第１案内開口と、前記第１両側縁部からさらに前記ボタン保持部の前記先端へ前記第１両側縁部の前記幅方向の離間よりも狭く離間して延びる第２両側縁部により形成され前記第１案内開口と連通する第２案内開口とから構成されているボタン掛け具である。
【０００５】
前記ボタン掛け具において、この発明が特徴とするところは、前記取っ手部が、前記ボタン保持部に対して、前記第１両側縁部の一方の側からその他方の側へ湾曲していること、にある。
【０００６】
この発明は、下記の好ましい実施態様を含む。
（１）前記取っ手部が前記ボタン保持部の前記後端へ向かうにつれて次第に幅が広くなる。
（２）前記第１案内開口と前記第２案内開口との間に、これら両案内開口に連通し、前記第１案内開口の幅よりも小さく、前記第２案内開口の幅よりも大きい幅を有する案内開口が少なくとも一つ介在している。
（３）前記取っ手部と前記ボタン保持部とが同一材料から同平面内に延びるように形成され、前記取っ手部が平板状に形成されている。
【０００７】
【発明の実施の形態】
添付の図面を参照し、この発明に係るボタン掛け具の詳細を説明すると、以下のとおりである。
【０００８】
図１、２は、ボタン掛け具１の平面図と同図のＩＩ−ＩＩ線断面図である。ボタン掛け具１は、金属やプラスチックなどの平板状の材料からなるもので、前方部分にボタン保持部３を有し、後方部分に取っ手部４を有する。ボタン保持部３には仮想水平線Ｃ−Ｃに沿って図の横方向へ延びる案内開口６が形成されている。この案内開口６は、取っ手部４寄りに位置していて仮想水平線Ｃ−Ｃと直交する方向の幅Ａが大きい第１案内開口７と、第１案内開口７に連通するボタン保持部３の前方寄りに位置し、幅Ｂが第１案内開口７の幅Ａよりも小さい第２案内開口８とから形成されている。具体的には、案内開口６は、取っ手部４の後端１５ｃとは反対端近傍１５ｂから一方向へ延びていて先端１５ａを有し前記一方向へ延びる取っ手部４の両側縁からボタン保持部３の先端１５ａへ前記一方向と直交する幅方向に互いに離間して延びる第１両側縁部ＳＥ１により形成される第１案内開口７と、第１両側縁部ＳＥ１からさらにボタン保持部３の先端１５ａへ第１両側縁部ＳＥ１の幅方向の離間よりも狭く離間して延びる第２両側縁部ＳＥ２により形成される第２案内開口８とから構成されている。さらに、仮想水平線Ｃ−Ｃは、各案内開口７，８の幅Ａ，Ｂを二等分する仮想中心線でもあり、これら案内開口７，８は、仮想水平線Ｃ−Ｃに平行して延びる直状内縁部７ａ，７ｂ、８ａ，８ｂと、これら直状内縁部７ａと７ｂ、８ａと８ｂの間に延びる弧状内縁部７ｃ，８ｃとを有する。案内開口６は、第１案内開口７と第２案内開口８とが連通する中間部分９において幅が第２案内開口８に向かって次第に小さくなる。第２案内開口８の弧状内縁部８ｃは、ボタン掛け具１の先端１５ａでもあって、この先端１５ａでは図示の如く弧が閉じている。ただし、先端１５ａは、図に示された２本の鎖線ＬとＬとの間を切り欠いて、弧の一部分を開いておくことができる。図１，２では、第１案内開口７に掛けられた第１ボタン１１（図４参照）と第２案内開口８に掛けられた第２ボタン１２（図４参照）とが仮想線で示されている。
【０００９】
ボタン掛け具１の後方部分に形成される取っ手部４は、仮想水平線Ｃ−Ｃと斜めに交差してボタン掛け具１の後方へ延びている。具体的には、ボタン保持部３と取っ手部４とは同平面内に延びていて、取っ手部４が、ボタン保持部３に対して、第１両側縁部ＳＥ１の一方の側（図１で右側）からその他方の側（図１で左側）へ湾曲している。取っ手部４は、好ましくは、ボタン保持部３からボタン掛け具１の後方へ向かって幅Ｗが次第に大きくなるように作られる。取っ手部４には、ひも通しのためやボタン掛け具１の軽量化のために適宜の数の透孔２１を設けることができる。ボタン掛け具１が携帯用のものである場合において、好ましい取っ手部４は幅Ｗの最大値が２０〜４０ｍｍの範囲にあり、第１案内開口７の後端から取っ手部４の後端までの仮想水平線Ｃ−Ｃ上における長さｑが３０〜８０ｍｍの範囲にある。また、図１の状態にある取っ手部４は、上縁部４ａと下縁部４ｂとを有し、これら両縁部４ａ，４ｂは第１案内開口７の直状内縁部７ａ，７ｂに平行する直状外縁部７ｄ，７ｅの延長上にある。湾曲した上縁部４ａは、仮想線で示される曲率半径Ｒ１＝１２０ｍｍの線よりも上方にあり、湾曲した下縁部４ｂは、仮想線で示される曲率半径Ｒ２＝２００ｍｍの線よりも上方にあることが好ましい。
【００１０】
図３に部分破断図で示されたズボン１０は、ボタン掛け具１が使用されるものであって、内側フライ１０Ａに１個の大きな第１ボタン１１と複数個の小さな第２ボタン１２とを有し、それぞれのボタン１１，１２に対応するように、外側フライ１０Ｂには１つの大きな第１ボタンホール１３と複数の小さな第２ボタンホール１４とが形成されている。こうしたズボン１０が厚手のデニムやジーンズ等の堅い生地でできていると、第１、２ボタン１１，１２を第１、２ホール１３，１４に掛けることが必ずしも容易ではない。
【００１１】
図４は、使用状態にあるボタン掛け具１を着用状態にあるズボン１０の一部分とともに示す図であり、ズボン１０は、ボタン隠し２５の一部分が破断して示されている。図において、第１ボタン１１はボタン掛け具１を使用して既に第１ボタンホール１３に通され、頭部１１Ａがボタンホール１３の外に出ている。ボタン隠し２５によって覆われている第２ボタンホール１４に第２ボタン１２を掛けるときには、次のようにする。まず、ボタン掛け具１の取っ手部４を片手に持って矢印Ｓ方向へ、即ちボタン保持部３をズボン１０の下方から上方に向けて外側フライ１０Ｂとボタン隠し２５との間から第２ボタンホール１４に通す。続けて、第２ボタンの頭部１２Ａを第１、２案内開口７，８のいずれかに通して、第２ボタン１２のシャンク１２Ｂを第２案内開口８の弧状内縁部８ｃに内側から当てる。さらに続けて、第２ボタン１２の頭部１２Ａが矢印Ｔ方向、即ちズボン１０着用者の身体から離れる方向へ動き、取っ手部４が矢印Ｔとは反対の矢印Ｐ方向へ、即ち身体に近づくようにボタン掛け具１を回転させると、頭部１２Ａが外側フライ１０Ｂの外へ引き出される。このようにすると、さほどの力を使うこともなく、極めて容易に第２ボタン１２を第２ボタンホール１４に掛けることができる。第１ボタン１１を第１ボタンホール１３に掛けるときにも同様にすればよい。ただし、第１ボタン１１のシャンク１１Ｂの径が第２案内開口８の幅Ｂよりも大きいときには、シャンク１１Ｂをボタン掛け具１の中間部分９においてボタン保持部３に当ててその掛け具１を図４の場合と同様に回転させる。
【００１２】
ボタン掛け具１は、このように下方から上方に向けて第１ボタンホール１３や第２ボタンホール１４に通すときに、ボタン保持部３に対して湾曲する取っ手部４が外側フライ１０Ｂの縁から外へ出るので、ボタン保持部と取っ手部とが直状に延びていて取っ手部がボタン隠し２５の下に隠れ易い従来のボタン掛け具に比べて持ち易く、しかも操作し易い。特にこのボタン掛け具１は、図示例のように第２ボタンホール１４がボタン隠し２５によって覆われている場合に、ボタン保持部３を第２ボタンホール１４に通すと、取っ手部４が自ずとそのボタン隠し２５の外へ出て隠れることがないから扱い易く、ボタン掛け作業が極めて容易になる。また、取っ手部４は、湾曲し、好ましくは後方へ向かって幅Ｗが次第に大きくなるから、そのような意味においても持ち易く、ボタン掛け作業が迅速になる。このボタン掛け具１は、大小２種類のボタンを一つのボタン掛け具で処理することができるので、ズボン１０の製造現場では、ボタンの大きさに合わせて掛け具を選択するという必要がない。
【００１３】
図５は、この発明の実施態様の一例を示す図１と同様な図面である。図示の掛け具１では、案内開口６が第１案内開口７と、第２案内開口８と、これら両案内開口７，８間に介在する第３案内開口１６とで形成されている。第３案内開孔１６は、第１，２案内開口７，８につながり、幅Ｄが第１案内開口７の幅Ａよりも小さく、第２案内開口８の幅Ｂよりも大きくなるように作られている。かかるボタン掛け具１であれば、図１のそれに比べて大きさの異なる多くの種類のボタンに対して使用することができる。第１、２案内開口７，８の間には、第３案内開口１６の他にさらに案内開口を追加することもできる。
【００１４】
【発明の効果】
この発明に係るボタン掛け具は、取っ手部が、ボタン保持部に対して、第１両側縁部の一方の側からその他方の側へ湾曲しているから、着用したズボンのボタンホールがボタン隠しで覆われている場合でも、ボタンを掛けることが容易である。また、取っ手部が湾曲し、後方へ向かって次第に幅が広くなる態様では、ボタン掛け具が持ち易くなって、ボタン掛け作業が迅速になる。
【図面の簡単な説明】
【図１】  ボタン掛け具の平面図。
【図２】  図１のＩＩ−ＩＩ線断面図。
【図３】  ズボンの部分斜視図。
【図４】  使用状態にあるボタン掛け具の斜視図。
【図５】  ボタン掛け具の一例を示す図１と同様な図面。
【符号の説明】
１      ボタン掛け具
３      ボタン保持部
４      取っ手部
６      案内開口
７      第１案内開口
８      第２案内開口
１６    案内開口（第３案内開口）
ＳＥ１    第１両側縁部
ＳＥ２    第２両側縁部
１５ａ    先端
１５ｂ    反対端
１５ｃ    後端
【図１】
0003920636.tif 000002
【図２】
0003920636.tif 000003
【図３】
0003920636.tif 000004
【図４】
0003920636.tif 000005
【図５】
0003920636.tif 000006